(57)【要約】【課題】電動機始動時に大電流が流れても熱動形過負荷継電器のミストリップ状態を防止することができる電磁開閉器用遅動ユニットを提供する。【解決手段】電源５と電動機６との間の電路に直列に接続した電磁接触器１及び熱動形過負荷継電器２に対して並列に接続される遅動ユニット４である。遅動ユニットは、電源から分流された電流で加熱されて操作力を発生する加熱アクチュエータ部１５と、加熱アクチュエータ部に直列に接続されて開極動作及び閉極動作を行う接点部１６と、加熱アクチュエータ部で発生した操作力により接点部を閉極動作から開極動作に切換える接点切換え部１７と、電動機の始動時に、電磁接触器の閉極動作に連動して接点部の閉極動作を行う電磁接触器連動部１８とを備えている。【選択図】図２
2017142906.tif 000002
【特許請求の範囲】
【請求項１】
電源と電動機との間の電路に直列に接続した電磁接触器及び熱動形過負荷継電器に対して並列に接続される遅動ユニットであり、
前記電源から分流された電流で加熱されて操作力を発生する加熱アクチュエータ部と、
前記加熱アクチュエータ部に直列に接続されて開極動作及び閉極動作を行う接点部と、
前記加熱アクチュエータ部で発生した前記操作力により前記接点部を閉極動作から開極動作に切換える接点切換え部と、
前記電動機の始動時に、前記電磁接触器の閉極動作に連動して前記接点部の閉極動作を行う電磁接触器連動部と、を備えたことを特徴とする電磁開閉器用遅動ユニット。
【請求項２】
前記加熱アクチュエータ部は、
前記電源から分流された電流に接続するヒーター導体と、
前記ヒーター導体を巻き付けたバイメタルと、
前記バイメタルが湾曲変位することで前記操作力を発生するシフターと、を備えていることを特徴とする請求項１記載の電磁開閉器用遅動ユニット。
【請求項３】
前記接点切換え部は、
前記接点部の可動接触子を支持している揺動部材と、
前記揺動部材に一体に形成された揺動部材側連動部と、
前記接点部の前記可動接触子が固定接触子から離間する方向に前記揺動部材に対してばね力を付与している開極用ばねと、を備えていることを特徴とする請求項１又は２記載の電磁開閉器用遅動ユニット。
【請求項４】
前記電磁接触器連動部は、
前記揺動部材側連動部と、
当該揺動部材側連動部に連結する前記電磁接触器に連結された電磁接触器側連動部と、を備え、
前記揺動部材が揺動したときに前記揺動部材側連動部及び前記電磁接触器側連動部の連結が解除されることを特徴とする請求項３記載の電磁開閉器用遅動ユニット。
【請求項５】
前記揺動部材を、揺動した位置から初期位置まで復帰させる復帰ばねを設けたことを特徴とする請求項３又は４記載の電磁開閉器用遅動ユニット。
【発明の詳細な説明】
【技術分野】
【０００１】
本発明は、電動機の始動時に大電流が流れた際に熱動形過負荷継電器のミストリップを防止する電磁開閉器用遅動ユニットに関する。
【背景技術】
【０００２】
周知のように、負荷を付けて始動する電動機の電路に適用する電磁接触器は、上位の配線用回路遮断器との保護協調を図るため、サーマルリレー（熱動形過負荷継電器）を直列に接続して電磁開閉器を構成している。
サーマルリレーの中で、電動機始動時に大きな電流が発生することで接点機構がミストリップ状態（開動作）となるのを防止する遅動形のサーマルリレーが知られている（例えば特許文献１）。
この遅動形のサーマルリレーは、バイメタルにヒーター導体を巻き付けたヒーターユニットと、バイメタルの湾曲変位に応じて接点が切り替わる反転機構と、ヒーターユニットに並列に接続された過飽和リアクトルとを備えた装置である。そして、電動機の始動時に大きな電流が流れると、その電流が過飽和リアクトルに分流され、サーマルリレーのヒーターユニットに流れる電流が制限されることで、電動機の始動時におけるサーマルリレーの反転機構の接点が切り替わるといったミストリップ状態が防止されるようになっている。
【０００３】
ところで、近年（２０１５年４月より）、国際規格ＩＥＣ（国際電機標準会議）のＩＥＣ  ６００３４−３０及び日本工業規格ＪＩＳＣ  ４０３４−３０で規定されているように、ＩＥ３（プレミアム効率）の電動機の使用を順守させる規制（トップランナーモータ規制）が導入されている。
ＩＥ３の電動機は、従来の電動機と比較して始動時に発生する電流がさらに大きい（以下、大電流の始動電流と称する）ことが知られている。
このＩＥ３の電動機を使用する場合の遅動形のサーマルリレーは、大電流の始動電流が分流するように大型の過飽和リアクトルを製作することで、大電流の始動電流が発生しても反転機構がミストリップ状態となるのを防ぐことができる。
【先行技術文献】
【特許文献】
【０００４】
【特許文献１】特開昭６３−２７６８４６号公報
【発明の概要】
【発明が解決しようとする課題】
【０００５】
しかし、過飽和リアクトルは、急峻な飽和特性を有する鉄心に２つの巻線を巻き付けてなる構造であり、大型化を図ると製造コストの面で問題がある。
そこで、本発明は、例えばＩＥ３の電動機を使用することで電動機始動時に大電流が流れても熱動形過負荷継電器のミストリップ状態を防止することができるとともに、電磁開閉器に組み込むことで製造コストの低減化を図ることができる電磁開閉器用遅動ユニットを提供することを目的としている。
【課題を解決するための手段】
【０００６】
上記目的を達成するために、本発明の一態様に係る電磁開閉器用遅動ユニットは、電源と電動機との間の電路に直列に接続した電磁接触器及び熱動形過負荷継電器に対して並列に接続されるものである。遅動ユニットは、電源から分流された電流で加熱されて操作力を発生する加熱アクチュエータ部と、加熱アクチュエータ部に直列に接続されて開極動作及び閉極動作を行う接点部と、加熱アクチュエータ部で発生した操作力により接点部を閉極動作から開極動作に切換える接点切換え部と、電動機の始動時に、電磁接触器の閉極動作に連動して接点部の閉極動作を行う電磁接触器連動部と、を備えている。
【発明の効果】
【０００７】
本発明に係る電磁開閉器用遅動ユニットによれば、熱動形過負荷継電器のミストリップ状態を防止することができるとともに、電磁開閉器に組み込むことで製造コストの低減化を図ることができる。
【図面の簡単な説明】
【０００８】
【図１】電磁開閉器の電磁接触器に接続した遅動ユニットを示す斜視図である。
【図２】電磁開閉器に遅動ユニットを並列接続した状態を示す回路図である。
【図３】電磁開閉器を構成する電磁接触器及び熱動形過負荷継電器を示す斜視図である。
【図４】遅動ユニットの下部の構造を示す斜視図である。
【図５】遅動ユニットの筐体を構成する第１ケースを示す斜視図である。
【図６】遅動ユニットの内部構成を示す斜視図である。
【図７】接点切換え部及び電磁接触器連動部が、接点部を閉極状態としているのを示す図である。
【図８】接点切換え部及び電磁接触器連動部が、接点部を開極状態としているのを示す図である。
【図９】接点切換え部及び接点部の要部を示す図である。
【図１０】常開接点の電磁接触器に遅動ユニットが連結している状態を示す図である。
【図１１】電磁接触器の接点が閉極状態としたときに、連動して遅動ユニットの接点部が閉極状態となっている状態を示す図である。
【図１２】加熱アクチュエータ部の操作力が接点切換え部の揺動部材に伝達されている状態を示す図である。
【図１３】加熱アクチュエータ部の操作力が接点切換え部の揺動部材に伝達され、接点部が開極状態となっているのを示す図である。
【図１４】揺動部材が初期位置に復帰した状態を示す図である。
【発明を実施するための形態】
【０００９】
次に、図面を参照して、本発明の第１実施形態を説明する。以下の図面の記載において、同一又は類似の部分には同一又は類似の符号を付している。ただし、図面は模式的なものであり、厚みと平面寸法との関係、各層の厚みの比率等は現実のものとは異なることに留意すべきである。したがって、具体的な厚みや寸法は以下の説明を参酌して判断すべきものである。また、図面相互間においても互いの寸法の関係や比率が異なる部分が含まれていることはもちろんである。
また、以下に示す第１実施形態は、本発明の技術的思想を具体化するための装置や方法を例示するものであって、本発明の技術的思想は、構成部品の材質、形状、構造、配置等を下記のものに特定するものでない。本発明の技術的思想は、特許請求の範囲に記載された請求項が規定する技術的範囲内において、種々の変更を加えることができる。
【００１０】
図１は、電磁接触器１及び熱動形過負荷継電器（サーマルリレー）２からなる電磁開閉器３と、電磁開閉器３の電磁接触器１に着脱自在に連結した遅動ユニット４と、を示すものである。
電磁開閉器３を構成する電磁接触器１及びサーマルリレー２は、図２に示すように、電源５及び電動機６の間の電路（Ｒ，Ｓ，Ｔの３相）に直列に接続されているとともに、遅動ユニット４は電磁開閉器３に対して並列に接続されている。
【００１１】
［電磁開閉器］
電磁開閉器３を構成する電磁接触器１は、ケース７の内部に、固定鉄心（不図示）と、この固定鉄心に対向して配置された可動鉄心（不図示）と、固定鉄心の主脚（不図示）外周に配置されたコイル（不図示）とが収納されており、コイルを励磁して可動鉄心が固定鉄心に吸引されると、接点部８ｃ（図２参照）を構成する可動接点支え（図１０〜図１４の符号１４）に固定した可動接点（不図示）及び固定接触子の固定接点（不図示）の閉極動作が行なわれる。
【００１２】
そして、電磁接触器１は、図２に示すように、複数の電源側端子部８ａ及び負荷側端子部８ｂが設けられているとともに、互いに対応する電源側端子部８ａ及び負荷側端子部８ｂの間に、常開接点（ａ接点）の前述した接点部８ｃが設けられている。
また、図３に示すように、電磁接触器１の上部に設けた消弧カバー９には表示窓９ａが形成されており、ケース７内の可動接点支え１４に一体形成された一対の動作表示片１０，１０が表示窓９ａから出没可能に配置されている。
一対の動作表示片１０，１０は、接点部８ｃの閉極動作ではケース７内に埋没し、接点部８ｃの開極動作では表示窓９ａから上方に突出した状態となる。
【００１３】
一対の動作表示片１０，１０の先端側の互いに対向する側には、消弧カバー９の上面に沿う方向に凹形状が延在している係合部１０ａが形成されており、この係合部１０ａに、後述する電磁接触器連動部１８の第１連動部４２が着脱自在に連結される。
また、表示窓９ａの周囲の消弧カバー９の上面には、電磁接触器連結部１１，１２、１３が突出して形成されている。これら電磁接触器連結部１１，１２、１３には、消弧カバー９の上面に沿う方向に凹凸形状が延在した係合部１１ａ，１２ａ、１３ａが形成されており、これら係合部１１ａ，１２ａ、１３ａに後述する一対の遅動ユニット連結部２３，２３が着脱自在に連結される。
【００１４】
また、電磁開閉器３を構成するサーマルリレー２は、過飽和リアクトルが内蔵されていない標準形のサーマルリレーである。この標準形のサーマルリレー２は、図２に示すように、バイメタル（不図示）にヒーター導体（不図示）を巻き付けた３相のヒーターユニット２ａと、バイメタルの湾曲変位に応じて接点が切り替わる反転機構２ｂとを備えた装置である。そして、過電流が一定時間以上流れると、バイメタルの湾曲変位により反転機構２ｂの接点が切り替わってサーマルリレーがトリップ状態となり、反転機構２ｂの接点情報に基づいて電磁接触器１が開極動作される。
【００１５】
［遅動ユニット］
電磁開閉器３に対して並列に接続されている第１実施形態の遅動ユニット４は、電動機６の始動時に大きな電流が流れる際に、サーマルリレー２の反転機構２ｂの接点が切り替わってしまうミストリップ状態となるのを防止する装置である。
第１実施形態の遅動ユニット４は、図２に示すように、電源５から分流された電流で加熱されて操作力を発生する加熱アクチュエータ部１５と、加熱アクチュエータ部１５の電路に接続されて開極及び閉極動作を行う接点部１６と、加熱アクチュエータ部１５で発生した操作力により接点部１６を閉極動作から開極動作に切換える接点切換え部１７と、電磁接触器１及び接点切換え部１７を連結し、電磁接触器１の閉極動作に連動して接点部１６の閉極動作を行う電磁接触器連動部１８と、を備えた装置であり、加熱アクチュエータ部１５、接点部１６及び接点切換え部１７が図１に示す筐体２０に内蔵されており、電磁接触器連動部１８が筐体２０の一部から突出して電磁接触器１に連結されている。
【００１６】
図１に示すように、遅動ユニット４の筐体２０は、第１ケース２１及び第２ケース２２とで直方体形状に形成されている。
第１ケース２１は、図４及び図５に示すように、底板２１ａと、この底板２１ａの３辺から同一方向に立ち上がる三方向の側板２１ｂ，２１ｃ，２１ｄと、を備えた部材である。  第２ケース２２は、第１ケース２１の開口部を閉塞する天板２２ａ及び側板２２ｂと、を備えた部材である。天板２２ａには表示穴２２ａ１が形成されており、この表示穴２２ａ１から後述する接点部１６の動作表示棒３２が突出する。
【００１７】
第１ケースの底板２１ａには、図５に示すように開口窓２１ｅが形成されている。また図４に示すように、底板２１ａの下面に、一対の連結板２３ａ，２３ｂが突出する遅動ユニット連結部２３が開口窓２１ｅの一部を覆って固定されており、一対の連結板２３ａ，２３ｂには、係合部２３ａ１，２３ｂ１が形成されている。
そして、図１０に示すように、連結板２３ａ，２３ｂの係合部２３ａ１，２３ｂ１が、電磁接触器１の電磁接触器連結部１１，１２の係合部１１ａ，１２ａ、１３ａに係合することで、遅動ユニット４が、電磁接触器１の上部に着脱自在に連結されている。
【００１８】
［加熱アクチュエータ部］
遅動ユニット４の加熱アクチュエータ部１５は、図６に示すように、バイメタル２４ａにヒーター導体２４ｂを巻き付けたＲ，Ｓ，Ｔの３相に対応する３つのヒーターユニット２４と、各ヒーターユニット２４のバイメタル２４ａの自由端に係合しているシフター２５と、を備えている。
この加熱アクチュエータ部１５は、電源５から分流された電流がヒーター導体２４ｂに流れ、加熱されたバイメタル２４ａが同一方向に湾曲変位することで、シフター２５が図６の矢印Ｄ方向に移動すると、シフター２５に設けた操作力伝達片２５ａが、後述する揺動部材３８の上部から立ち上がっている揺動係合杆３８ｂに係合するようになっている。
【００１９】
［接点部］
遅動ユニット４の接点部１６は、図６に示すように、第１ケース２１の側板２１ｂ（図６では不図示）に固定されている３個の電源側固定接触子２７と、第１ケース２１の側板２１ｄ（図６では不図示）に固定されている３個の電動機側固定接触子２８と、３個の電源側固定接触子２７及び電動機側固定接触子２８の固定接点２７ａ，２８ａに、可動接点２９ａが対向するように支持部３０に支持されている３個の可動接触子２９と、可動接点２９ａを固定接点２７ａ，２８ａに押し付ける方向にばね付勢力を付与する接触ばね３１と、を備えている。
【００２０】
支持部３０は、図６及び図７に示すように、３個の可動接触子２９及び接触ばね３１をそれぞれ分離して収納するボックス形状の部材であり、支持部３０の上面に動作表示棒３２が上方に突出して形成されているとともに、支持部３０の下面にばね上端保持棒３３が下方に突出して形成されている。
図５に示すように、第１ケース２１の側板２１ｃの内壁には、底板２１ａに対して直交する方向に延在し、互いに平行に固定されている一対のガイドレール３５，３５が形成されている。
【００２１】
また、図７に示すように、筐体２０内部の加熱アクチュエータ部１５及び接点部１６（接点切換え部１７）を仕切っている隔壁４４の接点部１６側を向く面に、底板２１ａに対して直交する方向に延在し、互いに平行に固定されている一対のガイドレール３６，３６が形成されている。
支持部３０の幅方向の一端は図６に示す第１ガイド部材３４と連結し、支持部３０の幅方向の他端は、図７に示す第２ガイド部材３７と連結している。
第１ガイド部材３４は、図９（ａ）に示すように、側面から突出している軸３４ａが、後述する接点切換え部１７の揺動部材３８に設けた軸貫通部３８ａを通過して支持部３０の一側に嵌合している。また、図示していないが、第２ガイド部材３７も、側面から突出している軸が揺動部材３８を介して支持部３０の他端に嵌合している。
【００２２】
そして、支持部３０の幅方向の一端に連結した第１ガイド部材３４が、図５で示した第１ケース２１の一対のガイドレール３５，３５の間に配置され、支持部３０の幅方向の他端に連結した第２ガイド部材３７が、図７で示した隔壁４４の一対のガイドレール３６，３６の間に配置されることで、支持部３０がガイド部材３４，３７とともに図７の上下方向に移動し、接点部１６の可動接点２９ａ及び固定接点２７ａ，２８ａの開極動作、閉極動作が行われるようになっている。
【００２３】
［接点切換え部］
遅動ユニット４の接点切換え部１７は、図７及び図９（ａ）、（ｂ）に示すように、支持部３０の周囲を囲むボックス形状に形成され、第１ガイド部材３４の軸３４ａ（及び第２ガイド部材３７の軸）回りに揺動する揺動部材３８と、揺動部材３８の上部から立上がって形成され、シフター２５の操作力伝達片２５ａが係合する揺動係合杆３８ｂと、第１ケース２１の底板２１ａから立ち上がるばね下端保持棒３９及びばね上端保持棒３３の間に配置された開極用ばね４０と、揺動部材３８及び第１ガイド部材３４の間で係合している揺動復帰用線ばね４１と、揺動部材３８の下部に一体に形成された第２連動部４３と、を備えている。
開極用ばね４０は、接点部１６の可動接点２９ａ及び固定接点２７ａ，２８ａが開極動作を行うように、支持部３０に対して底板２１ａから離間する方向にばね復元力を付与している。
【００２４】
揺動復帰用線ばね４１は、図９（ｂ）に示すように、第１ガイド部材３４の軸３４ａの周囲に下側から半円弧形状で巻き付いている半円弧中央部４１ａと、半円弧中央部４１ａの一端から上方に延在し、揺動部材３８の上部側壁から突出している突起部３８ｃに係合している直線部４１ｂと、半円弧中央部４１ａの他端から上方に延在し、第１ガイド部材３４の軸３４ａの上方に設けた突起部３４ｂの周囲に上側から半円弧形状で巻き付いている半円弧端部４１ｃと、を備えたばねである。
この揺動復帰用線ばね４１は、揺動部材３８が、第１ガイド部材３４の軸３４ａ（及び第２ガイド部材３７の軸）回りに揺動した際にばね復元力を付与することで、図８で示す初期位置に揺動部材３８を復帰させる。
【００２５】
［電磁接触器連動部］
遅動ユニット４の電磁接触器連動部１８は、図７に示すように、電磁接触器１の一対の動作表示片１０，１０に着脱自在に連結されている第１連動部４２と、揺動部材３８の下部に一体に形成され、第１連動部４２に係合する第２連動部４３と、を備えている。
第１連動部４２の一端には、図１０に示すように、電磁接触器１の一対の動作表示片１０，１０の凹形状の係合部１０ａに嵌まり込む一対の凸形状の係合部４２ａ，４２ａが形成されているとともに、第１連動部４２の他端には、第１フック部４２ｂが形成されている。
【００２６】
第１連動部４２の一対の係合部４２ａ，４２ａは、電磁接触器１の上面から突出している一対の動作表示片１０，１０の係合部１０ａに入り込むことで連結されている。
また、第２連動部４３には、揺動部材３８が初期位置のときに第１フック部４２ｂに係合する第２フック部４３ａが形成されている。
ここで、第１連動部４２の第１フック部４２ｂ及び第２連動部４３の第２フック部４３ａの外周の一部に、揺動部材３８の移動方向に対して９０°より小さい角度で同一方向に傾斜している傾斜面４２ｃ、４３ｂが形成されている。
なお、本発明に係る揺動部材側連動部が第２連動部４３に対応し、本発明に係る電磁接触器側連動部が第１連動部４２に対応し、本発明に係る復帰ばねが揺動復帰用線ばね４１に対応している。
【００２７】
［遅動ユニットの動作］
次に、電動機６の始動時の電磁開閉器３及び遅動ユニット４の動作について、図７、図８、図１０〜図１４を参照して説明する。なお、図１０〜図１４は、図１の平面Ｆに沿った断面を概略で示したものである。
図１０は、電動機６の停止状態のときに電磁開閉器３の電磁接触器１が常開接点（ａ接点）とされ、遅動ユニット４を構成する電磁接触器連動部１８の第１連動部４２が、電磁接触器１の動作表示片１０に連結されている状態を示している。
【００２８】
このとき、遅動ユニット４の接点切換え部１７を構成する揺動部材３８は初期位置であり、第２連動部４３の第２フック部４３ａが第１連動部４２の第１フック部４２ｂに係合している。
また、接点部１６の固定接点２７ａ，２８ａ及び可動接点２９ａは開極状態とされており、支持部３０に設けた動作表示棒３２が、筐体２０の天板２２ａに設けた表示穴２２ａ１から外部に突出して接点部１６が開極状態であることを表示する。
電動機６が始動し、電磁接触器１が常閉接点（ｂ接点）に切り替わると、図７及び図１１に示すように、可動接点支え１４が下方に移動することで動作表示片１０がケース７内に埋没し、動作表示片１０に連結している電磁接触器連動部１８を介して接点切換え部１７及び接点部１６の支持部３０が下方に移動する。
【００２９】
このとき、接点部１６の固定接点２７ａ，２８ａ及び可動接点２９ａは閉極状態とされ、支持部３０の動作表示棒３２が、表示穴２２ａ１から埋没して接点部１６が閉極状態であることを表示する。
そして、遅動ユニット４の接点部１６が閉極状態となると、電動機６に流れている始動電流の一部が、遅動ユニット４の加熱アクチュエータ部１５のヒーター導体２４ｂに流れる。
加熱アクチュエータ部１５のバイメタル２４ａは、ヒーター導体２４ｂに加熱されて湾曲変位していき、シフター２５が図１２の矢印Ｄ方向（図６の矢印Ｄ方向と同一方向）に移動していく。
【００３０】
矢印Ｄ方向に移動するシフター２５の操作力伝達片２５ａが揺動部材３８の揺動係合杆３８ｂに係合することで、揺動部材３８は、第１ガイド部材３４の軸３４ａ及び第２ガイド部材３７の軸回りに揺動していく。この揺動部材３８の揺動方向は、第２連動部４３の第２フック部４３ａが、第１連動部４２の第１フック部４２ｂから離間していく方向である。
そして、揺動部材３８が所定の揺動角度まで揺動することで、第２フック部４３ａ及び第１フック部４２ｂの係合状態が解除され（図１２参照）、開極用ばね４０のばね復元力で支持部３０が上方に押し上げられ、接点部１６の固定接点２７ａ，２８ａ及び可動接点２９ａは開極状態とされる（図１３参照）。ここで、支持部３０に設けた動作表示棒３２は、天板２２ａの表示穴２２ａ１から外部に突出して接点部１６が開極状態であることを表示する。
【００３１】
遅動ユニット４の接点部１６が開極状態になると、加熱アクチュエータ部１５のヒーター導体２４ｂに電流が流れず、バイメタル２４ａは冷却されて元の形状に戻っていく。このバイメタル２４ａの動作によりシフター２５が図１４の矢印Ｅ方向（図６の矢印Ｅ方向と同一方向）に移動していき、シフター２５の操作力伝達片２５ａが揺動部材３８の揺動係合杆３８ｂから離間していく。
そして、図９（ａ）、（ｂ）で示した揺動部材３８及び第１ガイド部材３４の間で係合している揺動復帰用線ばね４１が、図８及び図１４に示すように、揺動部材３８を初期位置まで復帰させる。
【００３２】
ここで、図１４で示した揺動部材３８が初期位置に復帰した状態で、電動機６を停止して電磁接触器１を常開接点（ａ接点）に切り替えると、図１０に示したように、第１連動部４２の第１フック部４２ｂ及び第２連動部４３の第２フック部４３ａが係合した状態となる。
すなわち、電動機６を停止して電磁接触器１を常開接点（ａ接点）に切り替えると、可動接点支え１４が上方に移動することで動作表示片１０に連結している第１連動部４２も上方に移動する。このとき、第１連動部４２の第１フック部４２ｂの傾斜面４２ｃに、第２連動部４３の傾斜面４３ｂが当接することで揺動部材３８が揺動していくが、揺動復帰用線ばね４１のばね復元力により揺動部材３８は初期位置まで復帰し、図１０に示す状態となる。
【００３３】
［遅動ユニットの効果］
次に、第１実施形態の遅動ユニット４の効果について説明する。
電磁接触器１及びサーマルリレー２で構成した電磁開閉器３に並列接続されている第１実施形態の遅動ユニット４は、電動機６の始動時に、電磁接触器連動部１８が電磁接触器１の閉極動作に連動して接点部１６の閉極動作を行い、加熱アクチュエータ部１５が電源５から分流された電流で操作力を発生し、この操作力で接点切換え部１７が接点部１６を閉極動作から開極動作に切換える動作を行う構造としている。
上記構成の遅動ユニット４及び電磁開閉器３を、例えばＩＥ３の電動機のように大電流の始動電流が発生する電路に接続すると、大電流の始動電流の一部を遅動ユニット４の加熱アクチュエータ部１５に流すことで、サーマルリレー２のミストリップ状態を防止することができる。
【００３４】
また、遅動ユニット４の電磁接触器連動部１８は、電磁接触器１及び遅動ユニット４の接点部１６の閉極動作を同時に行う構造としているので、電磁接触器１及び遅動ユニット４の接点消耗を抑制し、接点寿命を延ばすことができる。
また、遅動ユニット４の加熱アクチュエータ部１５は、バイメタル２４ａにヒーター導体２４ｂを巻き付けたヒーターユニット２４と、バイメタル２４ａが湾曲変位することで、バイメタル２４ａに係合したシフター２５が操作力を発生する簡便な構造としているので、製造コストの低減化を図ることができる。
【００３５】
また、接点切換え部１７は、接点部１６の可動接触子２９を支持している揺動部材３８と、この揺動部材３８に一体に形成された第２連動部４３と、接点部１６の可動接触子２９が固定接触子２７，２８から離間する方向に揺動部材３８に対してばね力を付与している開極用ばね４０とを備えており、電磁接触器連動部１８は、第２連動部４３と、電磁接触器１に連結した第１連動部４２とで構成されており、加熱アクチュエータ部１５のシフター２５（操作力伝達片２５ａ）から操作力が伝達された揺動部材３８が揺動することで、第１連動部４２及び第２連動部４３の係合状態が解除され、揺動部材３８が開極用ばね４０からばね力が付与され、接点部１６が閉極動作から開極動作に切換わる。このように、加熱アクチュエータ部１５のシフター２５からの操作力及び開極用ばね４０のばね力だけで、接点部１６の閉極から開極への動作を容易に切換えることができる。
さらに、揺動部材３８及び第１ガイド部材３４の間に揺動復帰用線ばね４１を配置することで、揺動した揺動部材３８を初期位置まで容易に復帰させることができる。
【符号の説明】
【００３６】
１  電磁接触器
２  熱動形過負荷継電器
２ａ  ヒーターユニット
２ｂ  反転機構
３  電磁開閉器
４  遅動ユニット
５  電源
６  電動機
７  ケース
８ａ  電源側端子部
８ｂ  負荷側端子部
８ｃ  接点部
９  消弧カバー
９ａ  表示窓
１０  動作表示片
１０ａ  係合部
１１，１２、１３  電磁接触器連結部
１１ａ，１２ａ、１３ａ  係合部
１４  可動接点支え
１５  加熱アクチュエータ部
１６  接点部
１７  接点切換え部
１８  電磁接触器連動部
２０  筐体
２１  第１ケース
２１ａ  底板
２１ｂ，２１ｃ，２１ｄ  側板
２１ｅ  開口窓
２２  第２ケース
２２ａ  天板
２２ａ１  表示穴
２２ｂ  側板
２３  遅動ユニット連結部
２３ａ，２３ｂ  連結板
２３ａ１，２３ｂ１  係合部
２４ａ  バイメタル
２４ｂ  ヒーター導体
２４  ヒーターユニット
２５  シフター
２５ａ  操作力伝達片
２７  電源側固定接触子
２８  電動機側固定接触子
２７ａ，２８ａ  固定接点
２９ａ  可動接点
２９  可動接触子
３０  支持部
３１  接触ばね
３２  動作表示棒
３３  ばね上端保持棒
３４  第１ガイド部材
３４ａ  軸
３４ｂ  突起部
３５  ガイドレール
３６  ガイドレール
３７  第２ガイド部材
３８  揺動部材
３８ａ  軸貫通部
３８ｂ  揺動係合杆
３８ｃ  突起部
３９  ばね下端保持棒
４０  開極用ばね
４１  揺動復帰用線ばね
４１ａ  半円弧中央部
４１ｂ  直線部
４１ｃ  半円弧端部
４２  第１連動部
４２ａ  係合部
４２ｂ  第１フック部
４２ｃ  傾斜面
４３  第２連動部
４３ａ  第２フック部
４３ｂ  傾斜面
４４  隔壁
【図１】
2017142906.tif 000003
【図２】
2017142906.tif 000004
【図３】
2017142906.tif 000005
【図４】
2017142906.tif 000006
【図５】
2017142906.tif 000007
【図６】
2017142906.tif 000008
【図７】
2017142906.tif 000009
【図８】
2017142906.tif 000010
【図９】
2017142906.tif 000011
【図１０】
2017142906.tif 000012
【図１１】
2017142906.tif 000013
【図１２】
2017142906.tif 000014
【図１３】
2017142906.tif 000015
【図１４】
2017142906.tif 000016